(57)【要約】【課題】　上側棚の両棚側板と机本体の両側板とを上下方向で略一直線状又はそれに近い形態で配置しながらも、取外された上側棚机本体の膝入れ空間内の奥側において収納棚として再利用することができるようにする。【解決手段】　机本体Ａと、該机本体Ａの天板１上面の後部側に配設される脱着自在な下側棚Ｂ、及び、この下側棚Ｂの上部に配設される脱着自在な上側棚Ｃとが備えられているとともに、上側棚Ｃには、左右一対の棚側板２０と、両棚側板２０間に亘って脱着自在に固定連結される本立て５０が備えられ、更に、本立て５０の左右最大長さＷ５が、机本体Ａの膝入れ空間Ｓの奥側に入り込み配置可能な寸法に構成されている。【選択図】　　　　図１４
2004033795.tif 000002
【特許請求の範囲】
【請求項１】
　机本体と、該机本体の天板上面の後部側に配設される脱着自在な下側棚、及び、この下側棚の上部に配設される脱着自在な上側棚とが備えられている棚付き机であって、
　前記上側棚には、左右一対の棚側板と、両棚側板間に亘って脱着自在に固定連結される本立てが備えられているとともに、本立ての左右最大長さが、机本体の膝入れ空間の奥側に入り込み配置可能な寸法に構成されている棚付き机。
【請求項２】
　前記机本体のうち、膝入れ空間を挟んで左右方向で相対向する側板の各板厚と、上側棚の両棚側板の各板厚とが同一又はほぼ同一寸法に構成されているとともに、前記机本体の両側板の左右方向での外面間隔と、上側棚の両棚側板の左右方向での外面間隔とが同一又はほぼ同一寸法に構成され、更に、前記机本体の両側板の左右方向での相対向面間隔Ｗと、上側棚の両棚側板の左右方向での相対向面間隔とが、本立ての左右最大長さよりも少し大となる同一又はほぼ同一寸法に構成して、上側棚から分解された本立てが、机本体の両側板間に入り込み配置自在に構成されている請求項１記載の棚付き机。
【請求項３】
　前記本立てが、両棚側板２０間に亘って脱着自在に固定連結される単独で載置使用可能な単一の本立てから構成されている請求項１又は２記載の棚付き机。
【請求項４】
　前記本立てが、両棚側板間に亘ってほぼ１列状態で脱着自在に固定連結される単独使用可能な複数の本立てから構成されている請求項１又は２記載の棚付き机。
【発明の詳細な説明】
【技術分野】
【０００１】
　本発明は、本発明は、主として書棚付き学習机として用いられるもので、詳しくは、机本体と、該机本体の天板上面の後部側に配設される脱着自在な下側棚、及び、この下側棚の上部に配設される脱着自在な上側棚とを備えた棚付き机に関する。
【背景技術】
【０００２】
　この種の棚付き机では、机本体の天板上面に配設される下側棚と上側棚とを自由に脱着することができるから、この下側棚と上側棚とが一体形成されている場合に比して、組立て時や輸送時における取扱いを容易に行うことができるばかりでなく、使用者の成長に伴う学習作業形態の変化、或いは、机上形態の好みや使い勝手の変化等に応じて、机本体と下側棚及び上側棚との組合せを変更することにより、机本体の天板上面に下側棚と上側棚とを配設した第１使用形態と、机本体の天板上面に下側棚のみを配設した第２使用形態、机本体の天板上面から下側棚と上側棚とを共に取外した第３使用形態とに変更することができ、使用形態の多様化を図ることができる。
　そして、従来の棚付き机では、前記上側棚の左右最大長さを、机本体の膝入れ空間の奥側に入り込み配置可能な寸法に構成するとともに、机本体の膝入れ空間に臨む内側面には、上側棚を左右方向に沿う横架姿勢で支持する支持具を設けて構成していた（特許文献１参照）
【０００３】
【特許文献１】特開平８−６６２４４号公報
【発明の開示】
【発明が解決しようとする課題】
【０００４】
　この従来の棚付き机では、第１使用形態から第２使用形態又は第３使用状態への変更に伴って取外された上側棚を、そのまま机本体の膝入れ空間の奥側に横架姿勢で支持させることにより、該上側棚を収納棚として再利用することができるから、使用形態の変更に伴って机上から取外される上側棚を廃棄する必要がなく、資源の無駄使いを抑制することができる利点がある。
【０００５】
　しかしながら、上側棚をそのまま机本体の膝入れ空間内に架設するため、上側棚の左右最大長さを、膝入れ空間を形成する机本体の両側板の左右方向での相対向面間隔よりも少し小さく構成しなければならず、しかも、それと同じ寸法分だけ、下側棚の左右最大長さも、机本体の両側板の左右方向での相対向面間隔よりも小に構成する必要があり、その結果、机本体と下側棚及び上側棚との形態上の大きな制約になるとともに、上側棚の再利用の形態が、机本体の膝入れ空間内での収納棚に用いる一形態だけであるため、使用者側の選択の余地がなかった。
【０００６】
　また、上述のような従来の不都合を解消する方法として、本願発明者は、図１４〜図１６に示すような棚付き机を開発した。この棚付き机の上側棚Ｃを、左右一対の棚側板２０と、該両棚側板２０を固定連結する背面板２１、及び、前記両棚側板２０間に亘って脱着自在に固定連結される単独で載置使用可能な単一の本立て５０とから構成するとともに、前記本立て５０の左右最大長さＷ５を、机本体Ａの膝入れ空間Ｓの奥側に入り込み配置可能な寸法に構成した。
【０００７】
　前記本立て５０は、左右一対の外側板５０Ａと、両外側板５０Ａの後端部に亘って固定連結される背面板５０Ｂと、両外側板５０Ａの前端部に亘って固定連結される前脚としての前面板５０Ｃ、及び、これらに三者５０Ａ，５０Ｂ，５０Ｃに亘って水平姿勢で固定連結される載置板５０Ｄとから構成されていて、机本体Ａの天板１上面等に単独で載置使用可能に構成されている。
【０００８】
　また、前記机本体Ａのうち、膝入れ空間Ｓを挟んで左右方向で相対向する側板２の各板厚ｔ１と、上側棚Ｃの両棚側板２０の各板厚ｔ２とを同一又はほぼ同一寸法に構成するとともに、前記机本体Ａの両側板２の左右方向での外面間隔Ｗ１と、上側棚Ｃの両棚側板２０の左右方向での外面間隔Ｗ２とを同一又はほぼ同一寸法に構成し、更に、前記机本体Ａの両側板２の左右方向での相対向面間隔Ｗ３と、上側棚Ｃの両棚側板２０の左右方向での相対向面間隔Ｗ４とを、前記本立ての左右最大長さＷ５よりも少し大となる同一又はほぼ同一寸法に構成して、前記上側棚Ｃから分解された本立て５０を、机本体Ａの両側板２間に入り込み配置自在に構成してある。
【０００９】
　前記本立て５０の各外側板５０Ａには、上側棚Ｃの棚側板２０に埋設されたナット部材及び机本体Ａの側板２に埋設されたナット部材５１に螺合固定するボルト５２に対する取付孔が貫通形成されているとともに、前記机本体Ａの両側板２と背面板３とに亘って、膝入れ空間Ｓの奥側位置において本立て５０を載置支持する棚板５３が取付けられている。
　尚、前記上側棚Ｃとしては、少なくとも左右一対の棚側板２０と単独で載置使用可能な単一の本立て５０とを備えていればよい。
【００１０】
　また、前記下側棚Ｂの構成は、後述する第１実施形態の下側棚Ｂと実質的に同一で、同じ構成部材には同一記号を付記してそれの説明は省略する。
【００１１】
　この棚付き机による場合は、上側棚Ｃの両棚側板２０の左右方向での相対向面間隔Ｗ２と机本体Ａの両側板２の左右方向での外面間隔Ｗ１とを同一又はほぼ同一寸法に統一構成しながらも、第１使用形態から第２使用形態又は第３使用状態への変更に伴って取外された上側棚Ｃのうち、両棚側板２０間から分離された本立て５０を机本体Ａの膝入れ空間Ｓの奥側に支持させることができるばかりでなく、この本立て５０を机本体Ａの天板１上面に単独で載置して使用することもできる。
【００１２】
　従って、従来のような机本体と下側棚及び上側棚との形態上の大きな制約を解消して、机本体と下側棚及び上側棚との設計の自由度を高めることができるようにしながらも、第１使用形態から第２使用形態又は第３状態への変更に伴って取外された上側棚を再利用する際、机本体の膝入れ空間内での収納棚に用いる形態と、机本体の天板上面等に載置使用する形態とに選択することができる。
【００１３】
　本発明は、上述の開発された棚付き机に更に改良を加え、机本体と下側棚及び上側棚との設計の自由度を高めることができるようにしながらも、第１使用形態から第２使用形態又は第３使用状態への変更に伴って取外された上側棚の再利用形態の選択肢を拡大することができるようにする点にある。
【課題を解決するための手段】
【００１４】
　本発明の請求項１による特徴構成は、机本体と、当該机本体の天板上面の後部側に配設される脱着自在な下側棚、及び、この下側棚の上部に配設される脱着自在な上側棚とを備えた棚付き机であって、
　前記上側棚を、左右一対の棚側板と、該両棚側板間に亘ってほぼ１列状態で脱着自在に固定連結される単独使用可能な複数の本立てから構成されているとともに、前記両棚側板が、複数の本立てを上下方向に間隔を隔てた状態で固定連結するための連結板に兼用可能に構成されている点にある。
　上記特徴構成によれば、使用者の成長に伴う学習作業形態の変化、或いは、机上形態の好みや使い勝手の変化等に応じて、机本体と下側棚及び上側棚の組合せを変更することにより、机本体の天板上面に下側棚と上側棚とを配設した第１使用形態と、机本体の天板上面に下側棚のみを配設した第２使用形態、机本体の天板上面から下側棚と上側棚とを共に取外した第３使用形態とに変更することができ、使用形態の多様化を図ることができる。
　しかも、第１使用形態から第２使用形態又は第３使用状態への変更に伴って取外された上側棚を再利用する際、この上側棚自体が、左右一対の棚側板と、単独使用可能な複数の本立てから構成されているから、左右の棚側板から分離された複数の本立てを左右方向に連結したまま机上に載置使用したり、或いは、一個ずつに分離された本立てを机上の任意の位置に任意の向き姿勢で載置使用することができる。
【００１５】
　更に、前記両棚側板を連結板に利用して、複数の本立てを上下方向に間隔を隔てた状態で固定連結することにより、一つの独立した本棚を構成することができるから、該本棚を机上や机本体脇の床面等に載置使用することができる。
【００１６】
　また、単独使用可能な複数の本立てを左右の棚側板間にほぼ１列状態で固定連結して上側棚を構成するが故に、各本立ての左右方向での寸法を任意に設定しながらも、上側棚の両棚側板の左右方向での外面間隔を、机本体の両側板の左右方向での外面間隔と同一に構成することができる。
【００１７】
　従って、従来のような机本体と下側棚及び上側棚との形態上の大きな制約を解消して、机本体と下側棚及び上側棚との設計の自由度を高めることができるようにしながらも、第１使用形態から第２使用形態又は第３使用形態への変更に伴って取外された上側棚の再利用形態の選択肢を拡大することができる。
【００１８】
　本発明の請求項２による棚付き机の特徴構成は、前記各本立ての左右両端部の各々に外側板が連設されているとともに、該各外側板が、棚側板又は左右方向で隣接する他の本立ての外側板と固定連結するための連結板に兼用構成されている点にある。
【００１９】
　上記特徴構成によれば、左右の棚側板間に単独使用可能な複数の本立てをほぼ１列状態で脱着自在に固定連結する際、各本立てに設けられた左右の両外側板を、棚側板又は左右方向で隣接する他の本立ての外側板と固定連結するための連結板として使用することができるから、連結構造の簡素化を図ることができるばかりでなく、各本立て自体の保形強度が増大するため、上側棚の強度向上を図ることができる。
【００２０】
　本発明の請求項３による棚付き机の特徴構成は、前記上側棚に、左右一対の棚側板を脱着自在に固定連結する背面板が設けられているとともに、該背面板と本立てとの相対向する部位には、本立てを脱着自在に固定連結するための連結部が形成されている点にある。
【００２１】
　上記特徴構成によれば、左右一対の棚側板が背面板を介して脱着自在に固定連結されていることと、背面板と本立てとが脱着自在に固定連結されていることとの相乗により、上側棚の強度向上を図ることができるばかりでなく、左右の棚側板間に複数の本立てをほぼ１列状態で脱着自在に固定連結する際の組立て作業の容易化を図ることができる。
【００２２】
　本発明の請求項４による棚付き机の特徴構成は、前記両棚側板を介して上下方向に間隔を隔てて固定連結された本立てのうち、最下方に位置する本立ての背面が、上方側の本立ての背面よりも前方側に配置されている点にある。
【００２３】
　上記特徴構成によれば、前記両棚側板を連結板に利用して、複数の本立てを上下方向に間隔を隔てた状態で固定連結することにより、一つの独立した本棚を経済面で有利に構成することができるのであるが、このとき、最下方に位置する本立ての背面が、上方側の本立ての背面よりも前方側に位置するから、机本体の外側面の下端側に段部等の出張部分が存在する場合でも、組立てられた本棚を机本体の横脇に密着状態で載置することができる。
【００２４】
　本発明の請求項５による棚付き机の特徴構成は、前記上側棚の両棚側板から分離され、かつ、左右方向に連結された状態にある本立ての左右最大長さが、机本体の膝入れ空間の奥側に入り込み配置可能な寸法に構成されている点にある。
【００２５】
　上記特徴構成によれば、第１使用形態から第２使用形態又は第３使用状態への変更に伴って取外された上側棚のうち、両棚側板間から分離された連結状態にある本立てを、そのまま机本体の膝入れ空間の奥側に入り込み配置にさせることができるから、取外された上側棚の再利用形態の選択肢を更に拡大することができる。
【発明を実施するための最良の形態】
【００２６】
　〔第１実施形態〕
　図１〜図１２は、書棚付き学習机として用いられる本発明の棚付き机を示し、これは、膝入れ空間Ｓを有する机本体Ａと、該机本体Ａの天板１上面の後部側に対して脱着自在に取付けられる下側棚Ｂと、この下側棚Ｂの上部に位置する状態で該下側棚Ｂの左右の棚側板１０に対して脱着自在に取付けられる上側棚Ｃとから構成されているとともに、使用者の成長に伴う学習作業形態の変化、或いは、机上形態の好みや使い勝手の変化等に応じて、机本体Ａと下側棚Ｂ及び上側棚Ｃとの組合せを変更することにより、机本体Ａの天板１上面に下側棚Ｂと上側棚Ｂとを配設した第１使用形態と、机本体Ａの天板１上面に下側棚Ｂのみを配設した第２使用形態、机本体Ａの天板１上面から下側棚Ｂと上側棚Ｃとを共に取外した第３使用形態とに変更自在に構成されている。
【００２７】
　前記机本体Ａは、図１に示すように、左右一対の側板２と、該両側板２の後端部に亘って取付けられる一枚の背面板３と、これらの上端に載架状態で取付けられる天板１とを備えていて、前記天板１の下面に取付けられた左右一対の引出し４の底面と両側板２及び背面板３とにより、着座者の膝を前方から入込み可能な膝入れ空間Ｓが形成されているとともに、前記両側板２と背面板３とに亘って、膝入れ空間Ｓの奥側に位置する棚板５が取付けられている。
【００２８】
　前記下側棚Ｂは、図１、図２に示すように、左右一対の棚側板１０と、該両棚側板１０の後端部に亘って固定連結される背面板１１、及び、該背面板１１の前面の左右中央部に固着された中央仕切板１２とに亘って、可動棚板１３を脱着自在に載置支持する棚受け部材１４と、二つの仕切り板１５を備えた固定棚板１６とを取付けるとともに、前記固定棚板１６の下面には、左右一対の引出し１７が設けられている。
　また、この下側棚Ｂは、机本体Ａの天板１に対して周知の左右一対の取付け金具１８を介して脱着自在に固定連結されている。
【００２９】
　前記上側棚Ｃは、図１〜図３に示すように、左右一対の棚側板２０と、該両棚側板２０の後端部に亘って脱着自在に固定連結される背面板２１、及び、前記両棚側板２０間に亘ってほぼ１列状態で脱着自在に固定連結される単独使用可能な複数（当該実施形態では二個）の本立て２２から構成されているとともに、前記両棚側板２０が、複数の本立て２２を上下方向に間隔を隔てた状態で固定連結するための連結板に兼用可能に構成されている。
【００３０】
　前記本立て２２の各々は、左右一対の外側板２２Ａと、両外側板２２Ａの後端側の上半部分に亘って固定連結される背面板２２Ｂと、両外側板２２Ａの前端側の下側部に亘って固定連結される前脚としての前面板２２Ｃと、これら三者２２Ａ，２２Ｂ，２２Ｃに亘って水平姿勢で固定連結される載置板２２Ｄ、及び、前記載置板２２Ｄの左右中央位置と背面板２２Ｂの左右中央位置とに亘って固着される仕切板２２Ｅとから構成されていて、机本体Ａの天板１上面や床面等に単独で載置使用可能に構成されている。
【００３１】
　前記本立て２２を構成する各外側板２２Ａの上下二個所及び前後二個所の合計４箇所には、前記棚側板２０又は左右方向で隣接する他の本立て２２の外側板２２Ａとボルト２６、ナット２７を介して固定連結するための取付け孔２２ａが貫通形成されているとともに、前記各棚側板２０の上下二個所及び前後二個所の合計４箇所には、前記外側板２２Ａの取付け孔２２ａに挿通されたボルト２６と螺合自在なナット２７が埋設固定（打ち込み固定）されていて、前記各外側板２２Ａが、棚側板２０又は左右方向で隣接する他の本立て２２の外側板２２Ａと固定連結するための連結板に兼用構成されている。
【００３２】
　前記背面板２１と各本立て２２との前後方向で相対向部位には、本立て２２を脱着自在に固定連結するための連結部２４が設けられている。
　この連結部２４は、背面板２１の長手方向の二個所に貫通形成した取付け孔２１ａと、前記本立て２２の載置板２２Ｄの後端面に埋設固定（打ち込み固定）されたナット２７と、前記取付け孔２１ａを通してナット２７に螺合されるボルト２６とから構成されている。
【００３３】
　前記棚側板２０と背面板２１とを脱着自在に固定連結する連結具（連結手段）３０は、図８〜図１０に示すように、前記背面板２１の左右両端面の上下二個所に、環状の係止溝３１ａを備えた連結ピン３１を設けるとともに、前記棚側板２０には、前記連結ピン３１が左右方向から抜き差し自在な連結孔３２ａを備えたロックケース３２を埋設し、このロックケース３２には、前記連結孔３２ａに連結ピン３１が挿入されている状態でのドライバー等による回転操作により、連結ピン３１の係止溝３１ａに対して径方向外方から係合するロック状態と係止溝３１ａから径方向外方に離脱したロック解除状態とに切替えられるロック部材３３を組付けて構成されている。
【００３４】
　前記下側棚Ｂの棚側板１０と上側棚Ｃの棚側板２０とを脱着自在に固定連結する連結具（連結手段）３５は、図１１、図１２（イ）、（ロ）に示すように、下側棚Ｂを構成する棚側板１０の上端の前後二個所に、環状の係止溝３６ａを備えた連結ピン３６を設けるとともに、上側棚Ｃを構成する棚側板２０の下部には、前記連結ピン３６が上下方向から抜き差し自在な連結孔３７を形成し、この連結孔３７の奥側には、該連結孔３７に連結ピン３６が挿入されている状態でのドライバー等による回転操作により、連結ピン３６の抜き差しを許容するロック解除状態と連結ピン３６の係止溝３６ａに係合するロック状態とに切替えられるロック部材３８を組付けて構成されている。
【００３５】
　そして、前記上側棚Ｃを組立てる場合、図１〜図３に示すように、前記棚側板２０とこれに相対向する本立て２２の一方の外側板２２Ａとをボルト２６にて固定連結するのであるが、この時、外側板２２Ａの上方側の各取付け孔２２ａにボルト２６を挿通するとともに、その挿通されたボルト２６を、前記棚側板２０の上方側の埋設ナット２７に螺合する。
【００３６】
　また、左右方向で隣接する両本立て２２の他方の外側板２２Ａ同士もボルト２６、ナット２７にて固定連結するのであるが、この時、４つの取付け孔２２ａにそれぞれ挿通したボルト２６と袋状のナット２７とで強固に固定連結する。
【００３７】
　更に、図４、図５に示すように、第１使用形態から第２使用形態又は第３使用状態への変更に伴って取外された上側棚Ｃを、一つの独立した本棚として再利用する場合には、前記棚側板２０と背面板２１及び本立て２２との相互の固定連結を解除したのち、一方の本立て２２を構成する外側板２２Ａの下方側の取付け孔２２ａを利用して、それに挿通されたボルト２６を、両棚側板２０の上方側の埋設ナット２７に螺合固定するとともに、前記他方の本立て２２を構成する外側板２２Ａの上方側の取付け孔２２ａを利用して、それに挿通されたボルト２６を、両棚側板２０の下方側の埋設ナット２７に螺合固定する。
【００３８】
　この時、前記棚側板２０の下方側の両埋設ナット２７が、上方側の両埋設ナット２７よりも前方に偏位する状態で配設されているため、一つの独立した本棚に組付けた状態では、前記両棚側板２０を介して上下方向に間隔を隔てて固定連結された本立て２２のうち、最下方に位置する本立て２２の背面が、上方側の本立て２２の背面よりも前方側に配置されるように構成されている。
【００３９】
　〔第２実施形態〕
　図１３は、前記上側棚Ｃの両棚側板２０から分離され、かつ、ボルト２６・ナット２７を介して左右方向に連結された状態にある本立て２２の左右最大長さＷが、机本体Ａの膝入れ空間Ｓの奥側に入り込み配置可能な寸法に構成されている、つまり、本立て２２の左右最大長さＷが、机本体Ａの両側板２の左右方向での相対向面間隔Ｗ３よりも少し小なる寸法に構成されているとともに、前記机本体Ａの両側板２には、本立て２２を構成する外側板２２Ａの取付け孔２２ａを利用して、それに挿通されたボルト２６と螺合するナット２７が埋設固定（打ち込み固定）されている。
　尚、その他の構成は、第１実施形態で説明した構成と同一であるから、同一の構成箇所には、第１実施形態と同一の番号を付記してそれの説明は省略する。
【００４０】
　〔その他の実施形態〕
　（１）　上述の各実施形態では、左右一対の棚側板２０間に亘って、二個の本立て２２を左右方向に沿ってほぼ１列状態で脱着自在に固定連結したが、三個以上の本立て２２を左右方向に沿ってほぼ１列状態で脱着自在に固定連結して実施してもよい。
　（２）　前記棚側板２０と背面板２１とを脱着自在に固定連結する連結具（連結手段）３０、及び、前記下側棚Ｂの棚側板１０と上側棚Ｃの棚側板２０とを脱着自在に固定連結する連結具（連結手段）３５としては、上述した実施形態の構造のものに限定されるものではなく、両者を脱着自在に固定連結することのできるものであれば、如何なる構造のものを採用してもよい。
　（３）　机本体Ａに対して下側棚Ｂを脱着自在に取付けるための取付け手段、及び、下側棚Ｂに対して上側棚Ｃを脱着自在に取付けるための取付け手段としても、従来から各種方法があり、本発明の目的を達成することのできるものであれば、その取付け方法は任意に変更可能である。
【図面の簡単な説明】
【００４１】
【図１】本発明の棚付き机の第１実施形態を示す全体の正面図
【図２】図１におけるＩＩ−ＩＩ線断面図
【図３】上側棚の分解斜視図
【図４】上側棚を分解して本棚に組付けたときの斜視図
【図５】上側棚を分解して本棚に組付けたときの縦断面図
【図６】（イ）は両本立ての外側板同士を連結する直前の拡大断面図　（ロ）は両本立ての外側板同士を連結したときの拡大断面図
【図７】（イ）は本立ての外側板と棚側板とを連結する直前の拡大断面図　（ロ）は本立ての外側板と棚側板とを連結したときの拡大断面図
【図８】上側棚の棚側板と背面板とを連結する直前の拡大断面図
【図９】上側棚の棚側板と背面板とを連結したときの拡大断面図
【図１０】上側棚の棚側板と背面板とを連結する連結具の側面図
【図１１】上側棚の棚側板と下側棚の棚側板と連結する直前の拡大側面図
【図１２】（イ）は上側棚の棚側板と下側棚の棚側板とを連結したときの拡大断面側面図　（ロ）は上側棚の棚側板と下側棚の棚側板とを連結したときの拡大断面正面図
【図１３】本発明の棚付き机の第２実施形態を示す全体の正面図
【図１４】本発明の開発途中で案出された棚付き机の全体正面図
【図１５】図１４のＸＶ−ＸＶ線拡大断面図
【図１６】図１４のＸＶＩ−ＸＶＩ線拡大断面図
【符号の説明】
【００４２】
　Ａ　　　机本体
　Ｂ　　　下側棚
　Ｃ　　　上側棚
　Ｓ　　　膝入れ空間
　１　　　天板
　２０　　棚側板
　２１　　背面板
　２２　　本立て
　２２Ａ　外側板
　２２Ｂ　背面板
　２４　　連結部
【図１】
2004033795.tif 000003
【図２】
2004033795.tif 000004
【図３】
2004033795.tif 000005
【図４】
2004033795.tif 000006
【図５】
2004033795.tif 000007
【図６】
2004033795.tif 000008
【図７】
2004033795.tif 000009
【図８】
2004033795.tif 000010
【図９】
2004033795.tif 000011
【図１０】
2004033795.tif 000012
【図１１】
2004033795.tif 000013
【図１２】
2004033795.tif 000014
【図１３】
2004033795.tif 000015
【図１４】
2004033795.tif 000016
【図１５】
2004033795.tif 000017
【図１６】
2004033795.tif 000018